(57)【要約】ベルト軸上に巻き付けられたベルト帯の支持体としてベルト軸のための車両に感応しかつ／又はベルト帯に感応するロックシステムを有し、その際、安全ベルト巻き付け器が、安全ベルト巻き付け器のロックの際にベルト帯に生じるベルト帯力のための統合された力制限装置を備え、かつその際、２０ｋＮより小さな破壊負荷を有するベルト帯が、１０ｍｍのベルト帯幅あたりその長手方向に延びた３５より少ないたて糸を有し、かつ身体結合部に織り込まれたよこ糸がモノフィラメント糸として形成されている、安全ベルト巻き付け器。【特許請求の範囲】
【請求項１】
ベルト軸上に巻き付けられたベルト帯の支持体としてベルト軸のための車両に感応しかつ／又はベルト帯に感応するロックシステムを有し、その際、安全ベルト巻き付け器が、安全ベルト巻き付け器のロックの際にベルト帯に生じるベルト帯力のための統合された力制限装置を備え、かつその際、２０ｋＮより小さな破壊負荷を有するベルト帯が、１０ｍｍのベルト帯幅あたりその長手方向に延びた３５より少ないたて糸を有し、かつ身体結合部に織り込まれたよこ糸がモノフィラメント糸として形成されている、安全ベルト巻き付け器。
【請求項２】
織られたベルト帯が、直線延び特性を有することを特徴とする、請求項１に記載の安全ベルト巻き付け器。
【請求項３】
織られたベルト帯の延びが、たて糸の製造のために利用される基礎材料の延びに対応することを特徴とする、請求項１又は２に記載の安全ベルト巻き付け器。
【請求項４】
安全ベルトの組織を製造するための基礎材料がポリエステルであることを特徴とする、請求項１ないし３の１つに記載の安全ベルト巻き付け器。
【発明の詳細な説明】
【０００１】
本発明は、ベルト軸上に巻き付けられたベルト帯の支持体としてベルト軸のための車両に感応しかつ／又はベルト帯に感応するロックシステムを有する、安全ベルト巻き付け器に関する。このようなベルト巻き付け器において、例えばＰＣＴ第ＷＯ９６／３２３０３号明細書によれば、生じた危険な状況において起動される安全ベルト巻き付け器のロックに基づいて生じかつベルトを締めた車両乗客の危険を引起こすベルト帯力を制限するために、力制限装置を統合することは公知である。従来、安全ベルト巻き付け器内における力制限の利用は、安全ベルト巻き付け器内において力制限装置の使用によって変化する力状態に、ベルト帯をその構成について整合することには至っておらず、かつそれ故に本発明は、ベルト帯の構成に関して次のことを詳細に提案する。すなわち２０ｋＮより小さな破壊負荷を有するベルト帯が、１０ｍｍのベルト帯幅あたりその長手方向に延びた３５より少ないたて糸を有し、かつ身体結合部に織り込まれたよこ糸がモノフィラメント糸として形成されている。
【０００２】
したがって安全ベルト巻き付け器において力制限装置を使用することが、あらゆるベルト締付け位置において、かつ生じるあらゆる負荷の場合に、ロックしたベルト巻き付け器の範囲に生じるベルト帯力を制限することを可能にするかぎり、本発明によれば、従来のベルト帯と比較してベルト帯の破壊負荷をはっきりと減少することが提案されている。破壊負荷のこの減少は、本発明によれば、ベルト帯の長手方向に延びたたて糸の数を従来のベルト帯に対してほぼ４０％だけ、１０ｍｍのベルト帯幅あたり３５より少ないたて糸に減少することによって可能になる。たて糸のこの一層少ない数には、従来のベルト帯に対してベルト帯の一層小さな長手方向剛性が生じるという利点が結び付いており；さらに減少した材料使用によってベルト帯の重量が減少し、かつ最後に織る際に互いに一層大きな間隔を置いて延びたたて糸の間に、たて糸の減少した数にもかかわらず、十分な横向き剛性を引起こすモノフィラメントよこ糸があることによって、一層わずかなベルト帯厚さも生じる。３つすべての要因は、一緒になってベルト帯の取付け及び取外し快適性及び装着快適性の改善に通じる。
【０００３】
技術的な関連において、減少したベルト帯厚さは、ベルト軸の一層小さな直径に通じるので、相応して装備された安全ベルト巻き付け器の組込み寸法は減少している。同時にベルト軸に巻き付けられたベルト帯の負荷の際に生じるフィルムリール効果も、一層わずかであり、したがってベルトを締めた乗客の管理されない前方移動が減少している。
【０００４】
最後に本発明には経済的な利点も結び付いており；一層わずかな材料使用、及び一層少数のたて糸に基づいて可能な増加した織り速度に基づいて、ベルト帯を織るための製造費用が減少している。熱固定によるベルト帯組織の次に必要な加工も、例えばあらかじめ与えるべき延び特性ももはや調節する必要がないので、一層わずかな費用になる。
【０００５】
ドイツ連邦共和国特許第３１１３７０１号明細書によれば、すでにわずかな厚さのベルト帯を使用し、それにより安全ベルト巻き付け器の容積及び重量を減少するようにするという示唆を取出すことができるが；その際、ベルト帯の強さははっきりと維持されるようにするので、この刊行物から、本発明による教えの方向における示唆が生じることはない。この刊行物においてたて糸の数の考えることができる減少が述べられているかぎり、たて糸の数のこの考えられる減少は、よこ糸の数の増加によって埋め合わされる。
【０００６】
同様にドイツ連邦共和国特許出願公開第４１０４５１６号明細書においても、たて糸の数の減少の可能性が述べられており、ただしこの減少は、破壊の前のその延び能力が決定的に高められているように装備されたよこ糸を使用することによって埋め合わせるようにする。このような特殊なよこ糸の使用によって、たて糸の有効寿命が増加するようにするので、このような性質を有するベルト帯の強さは、従来のベルトと比較して維持されるようにする。それによりこの刊行物も、請求された技術的な教えの方向に示唆を与えない。
【０００７】
ベルト帯の十分な横向き剛性を設定するためにモノフィラメントよこ糸を代用することは、ドイツ連邦共和国特許出願公開第３３４５５０８号明細書によって基本的に公知であり、ただしたて糸の数に対する関連は確立されていない。
【０００８】
従来のベルト帯においてベルトを締めた乗客の前方移動を可能にするために、負荷の増大とともに又は所定の負荷状態以後にベルト帯の延びが一層大きくなるように、ベルト帯の延び特性を整えるという目的で、織られたベルト帯は、とくに熱固定によって特別な加工を受けるが、一方本発明の１つの実施例によれば、ベルト帯は直線的な延び特性を有するように考慮されている。したがってベルト巻き付け器における力制限装置によって設定されるベルトを締めた乗客の前方移動の他に、ベルト帯の予測できない延びによってこの前方移動効果に影響を及ぼすことに至らない。したがって織られたベルト帯の延びがたて糸の製造のために利用される基礎材料の延びに相当することができるかぎり、それにより熱固定による織られたベルト帯の加工の際に簡単化が得られる。
【０００９】
そのためにドイツ連邦共和国特許出願公開第３８４１６８７号明細書によれば、安全ベルトシステムにおいて安全ベルト巻き付け器の外に、骨盤ベルト区間の止め金のない端部にベルト力制限器を配置することが公知であり、その際、負荷のかかった場合に予測できない延びのために意図せずに経過する前方移動行程が仮定することができる限界内に留まるようにするために、使用されるベルト帯は、通用のベルト帯よりもわずかな延びを有するようにする。
【００１０】
前記の説明、特許請求の範囲及び要約書に開示されたこの書類の対象の特徴は、個別的に及び相互の任意の組合せにおいて、その種々の構成における本発明の実現にとって重要であることがある。
【国際公開パンフレット】
2004514598.tif 000002
2004514598.tif 000003
2004514598.tif 000004
2004514598.tif 000005
2004514598.tif 000006
2004514598.tif 000007
2004514598.tif 000008
2004514598.tif 000009
【手続補正書】
【提出日】平成15年1月21日(2003.1.21)
【手続補正１】
【補正対象書類名】明細書
【補正対象項目名】全文
【補正方法】変更
【補正の内容】
【発明の詳細な説明】
【書類名】明細書
【発明の名称】同調したベルト帯を有する力制限引込み器
【特許請求の範囲】
【請求項１】ベルト軸上に巻き付けられたベルト帯の支持体としてベルト軸のための車両に感応しかつ／又はベルト帯に感応するロックシステムを有し、その際、安全ベルト巻き付け器が、安全ベルト巻き付け器のロックの際にベルト帯に生じるベルト帯力のための統合された力制限装置を備えた、安全ベルト巻き付け器において、２０ｋＮより小さな破壊負荷を有するベルト帯が、１０ｍｍのベルト帯幅あたりその長手方向に延びた３５より少ないたて糸を有し、かつ身体結合部に織り込まれたよこ糸がモノフィラメント糸として形成されており、かつ織られたベルト帯が、直線延び特性を有することを特徴とする、安全ベルト巻き付け器。
【請求項２】織られたベルト帯の延びが、たて糸の製造のために利用される基礎材料の延びに対応することを特徴とする、請求項１に記載の安全ベルト巻き付け器。
【請求項３】安全ベルトの組織を製造するための基礎材料がポリエステルであることを特徴とする、請求項１又は２に記載の安全ベルト巻き付け器。
【発明の詳細な説明】
【０００１】
本発明は、ベルト軸上に巻き付けられたベルト帯の支持体としてベルト軸のための車両に感応しかつ／又はベルト帯に感応するロックシステムを有し、その際、安全ベルト巻き付け器が、安全ベルト巻き付け器のロックの際にベルト帯に生じるベルト帯力のための統合された力制限装置を備えた、安全ベルト巻き付け器に関する。このような安全ベルト巻き付け器は、例えば米国特許第５５４７１４３号明細書により公知である。
【０００２】
従来、安全ベルト巻き付け器内における力制限の利用は、安全ベルト巻き付け器内において力制限装置の使用によって変化する力状態に、ベルト帯をその構成について整合することには至っていない。別の態様は、従来のベルト帯においてベルトを締めた乗客の前方移動を可能にするために、負荷の増大とともに又は所定の負荷状態以後にベルト帯の延びが一層大きくなるように、ベルト帯の延び特性を整えるという目的で、織られたベルト帯は、とくに熱固定によって特別な加工を受けることにある。
【０００３】
それ故に本発明の課題は、安全ベルト巻き付け器において考慮される力制限に整合したベルト帯を提供することにある。
【０００４】
この課題の解決策は、主特許請求の範囲から明らかであり；本発明の有利な構成及び変形は、従属特許請求の範囲に記載されている。
【０００５】
詳細に述べれば、本発明は、次のことを提案している。すなわち２０ｋＮより小さな破壊負荷を有するベルト帯が、１０ｍｍのベルト帯幅あたりその長手方向に延びた３５より少ないたて糸を有し、かつ身体結合部に織り込まれたよこ糸がモノフィラメント糸として形成されており、かつ織られたベルト帯が直線延び特性を有する。
【０００６】
そのために米国特許第５４７８６３６号明細書によれば、車両における支援システムのためにベルト帯を従来のベルト帯より弱く、すなわち１，０００ｋｇｆより小さい、すなわち２０ｋＮより小さな破壊負荷にまで弱く寸法を決めることが公知であり、その際、ベルト帯の長手方向へのたて糸の数は、１０ｍｍのベルト幅あたり３５より少なくし、かつよこ糸が身体結合部内に織り込まれている。ただし米国特許第５４７８６３６号明細書は、ベルト帯自体の提案された構成によって力制限を整えることを考慮しており、そのために相応して設定された延び特性が前提条件である。
【０００７】
本発明は、米国特許第５４７８６３６号明細書により公知のベルト帯の別の技術的背景の前において評価すべき構成を利用し、その際、織られたベルト帯は、直線的な延び特性を持たなければならない。その際、破壊負荷の減少は、ベルト帯の長手方向に延びたたて糸の数を従来のベルト帯に対してほぼ４０％だけ、１０ｍｍのベルト帯幅あたり３５より少ないたて糸に減少することによって可能になる。たて糸のこの一層少ない数には、従来のベルト帯に対してベルト帯の一層小さな長手方向剛性が生じるという利点が結び付いており；さらに減少した材料使用によってベルト帯の重量が減少し、かつ最後に織る際に互いに一層大きな間隔を置いて延びたたて糸の間に、たて糸の減少した数にもかかわらず、十分な横向き剛性を引起こすモノフィラメントよこ糸があることによって、一層わずかなベルト帯厚さも生じる。３つすべての要因は、一緒になってベルト帯の取付け及び取外し快適性及び装着快適性の改善に通じる。ベルト帯の直線的な延び特性は、ベルト巻き付け器における力制限装置によって設定されるベルトを締めた乗客の前方移動の他に、ベルト帯の予測できない延びによってこの前方移動効果に影響を及ぼすことに至らない。したがって織られたベルト帯の延びがたて糸の製造のために利用される基礎材料の延びに相当することができるかぎり、それにより熱固定による織られたベルト帯の加工の際に簡単化が得られる。
【０００８】
そのためにドイツ連邦共和国特許出願公開第３８４１６８７号明細書によれば、安全ベルトシステムにおいて安全ベルト巻き付け器の外に、骨盤ベルト区間の止め金のない端部にベルト力制限器を配置することが公知であり、その際、負荷のかかった場合に予測できない延びのために意図せずに経過する前方移動行程が仮定することができる限界内に留まるようにするために、使用されるベルト帯は、通用のベルト帯よりもわずかな延びを有するようにする。
【０００９】
技術的な関連において、減少したベルト帯厚さは、ベルト軸の一層小さな直径に通じるので、相応して装備された安全ベルト巻き付け器の組込み寸法は減少している。同時にベルト軸に巻き付けられたベルト帯の負荷の際に生じるフィルムリール効果も、一層わずかであり、したがってベルトを締めた乗客の管理されない前方移動が減少している。
【００１０】
最後に本発明には経済的な利点も結び付いており；一層わずかな材料使用、及び一層少数のたて糸に基づいて可能な増加した織り速度に基づいて、ベルト帯を織るための製造費用が減少している。熱固定によるベルト帯組織の次に必要な加工も、例えばあらかじめ与えるべき延び特性ももはや調節する必要がないので、一層わずかな費用になる。
【００１１】
ドイツ連邦共和国特許第３１１３７０１号明細書によれば、すでにわずかな厚さのベルト帯を使用し、それにより安全ベルト巻き付け器の容積及び重量を減少するようにするという示唆を取出すことができるが；その際、ベルト帯の強さははっきりと維持されるようにするので、この刊行物から、本発明による教えの方向における示唆が生じることはない。この刊行物においてたて糸の数の考えることができる減少が述べられているかぎり、たて糸の数のこの考えられる減少は、よこ糸の数の増加によって埋め合わされる。
【００１２】
同様にドイツ連邦共和国特許出願公開第４１０４５１６号明細書においても、たて糸の数の減少の可能性が述べられており、ただしこの減少は、破壊の前のその延び能力が決定的に高められているように装備されたよこ糸を使用することによって埋め合わせるようにする。このような特殊なよこ糸の使用によって、たて糸の有効寿命が増加するようにするので、このような性質を有するベルト帯の強さは、従来のベルトと比較して維持されるようにする。それによりこの刊行物も、請求された技術的な教えの方向に示唆を与えない。
【００１３】
ベルト帯の十分な横向き剛性を設定するためにモノフィラメントよこ糸を使用することは、ドイツ連邦共和国特許出願公開第３３４５５０８号明細書によって基本的に公知であり、ただしたて糸の数に対する関連は確立されていない。
【国際調査報告】
2004514598.tif 000010
2004514598.tif 000011
2004514598.tif 000012
2004514598.tif 000013